(57)【要約】【課題】送信装置及び表示装置を含む表示システムの低消費電力化を図る。【解決手段】映像データを送信する送信装置と、前記送信装置から受信した前記映像データに基づいて画像を表示する表示装置と、を含む表示システムであって、前記表示システムは、前記表示装置の状態に基づいて、動作モードを第１モード又は第２モードに切り替え、前記送信装置は、前記第１モードでは各フレームで前記映像データを送信し、前記第２モードでは複数フレームに１回の割合で前記映像データを送信する。【選択図】図２
2018169455.tif 000002
【特許請求の範囲】
【請求項１】
映像データを送信する送信装置と、前記送信装置から受信した前記映像データに基づいて画像を表示する表示装置と、を含む表示システムであって、
前記表示システムは、前記表示装置の状態に基づいて、動作モードを第１モード又は第２モードに切り替え、
前記送信装置は、前記第１モードでは各フレームで前記映像データを送信し、前記第２モードでは複数フレームに１回の割合で前記映像データを送信する、
ことを特徴とする表示システム。
【請求項２】
前記送信装置は、前記第１モードでは第１フレームレートで前記映像データを送信し、前記第２モードでは前記第１フレームレートより低い第２フレームレートで前記映像データを送信する、
ことを特徴とする請求項１に記載の表示システム。
【請求項３】
前記表示装置は、前記第１モードでは第１駆動周波数で前記画像を表示し、前記第２モードでは前記第１駆動周波数より低い第２駆動周波数で前記画像を表示する、
ことを特徴とする請求項２に記載の表示システム。
【請求項４】
前記表示装置は、前記映像データを記憶するフレームメモリを含み、
前記第２モードにおいて、前記送信装置が前記映像データを送信しない期間では、前記表示装置は、前記フレームメモリに記憶された前記映像データに基づいて前記画像を表示する、
ことを特徴とする請求項１に記載の表示システム。
【請求項５】
前記表示装置の温度を測定する温度センサをさらに含み、
前記送信装置は、前記表示装置の温度が上昇して閾値を超えた場合に、前記第１フレームレートを前記第２フレームレートに切り替える、
ことを特徴とする請求項２に記載の表示システム。
【請求項６】
前記表示装置は、前記第１モードでは、ゲート線を走査してデータ電圧の書き込み動作を行う駆動期間を繰り返す通常駆動を行い、前記第２モードでは、前記駆動期間と、前記ゲート線を非走査状態にして前記書き込み動作を休止する休止期間とを交互に繰り返す間欠駆動を行う、
ことを特徴とする請求項３に記載の表示システム。
【請求項７】
前記通常駆動における前記駆動期間の共通電圧の電圧値と、前記間欠駆動における前記駆動期間の共通電圧の電圧値とは、互いに等しい、
ことを特徴とする請求項６に記載の表示システム。
【請求項８】
前記間欠駆動における前記休止期間の共通電圧の電圧値を、画素に保持される電荷量の変化に伴って降下させる、
ことを特徴とする請求項６に記載の表示システム。
【請求項９】
前記休止期間に降下させた共通電圧の電圧値を、前記休止期間の後に続く前記駆動期間の開始前に、前記休止期間より前の前記駆動期間における共通電圧の電圧値に上昇させる、
ことを特徴とする請求項８に記載の表示システム。
【発明の詳細な説明】
【技術分野】
【０００１】
本発明は、表示システムに関する。
【背景技術】
【０００２】
従来、映像データを送信する送信装置（例えば、Source Device）と、映像データを受信して画像を表示する表示装置（例えば、Sink Device）とを互いに接続するインターフェースとして、Display Port（以下、「ＤＰ」と称す）規格や、ＤＰ規格を内部インターフェースとして規定した、Embedded Display Port（以下、「ｅＤＰ」と称す）規格が提案されている（例えば特許文献１）。
【先行技術文献】
【特許文献】
【０００３】
【特許文献１】特許第５７９９３２０号公報
【発明の概要】
【発明が解決しようとする課題】
【０００４】
また近年、送信装置及び表示装置を含む表示システムにおいて、消費電力の低減を図ることが要求されている。表示システムの低消費電力化を図る方法として、例えば、表示システムの電源がオン状態で表示動作が行われているときに、送信装置から表示装置に送信する映像データのフレームレートを低くする方法が考えられる。しかし、上記方法では、ある程度の消費電力を低減することはできるが、低消費電力化の効果としては十分とは言えない。
【０００５】
本発明は、上記問題点に鑑みてなされたものであり、その目的は、送信装置及び表示装置を含む表示システムの低消費電力化を図ることにある。
【課題を解決するための手段】
【０００６】
上記課題を解決するために、本発明に係る表示システムは、映像データを送信する送信装置と、前記送信装置から受信した前記映像データに基づいて画像を表示する表示装置と、を含む表示システムであって、前記表示システムは、前記表示装置の状態に基づいて、動作モードを第１モード又は第２モードに切り替え、前記送信装置は、前記第１モードでは各フレームで前記映像データを送信し、前記第２モードでは複数フレームに１回の割合で前記映像データを送信する、ことを特徴とする。
【０００７】
本発明に係る表示システムでは、前記送信装置は、前記第１モードでは第１フレームレートで前記映像データを送信し、前記第２モードでは前記第１フレームレートより低い第２フレームレートで前記映像データを送信してもよい。
【０００８】
本発明に係る表示システムでは、前記表示装置は、前記第１モードでは第１駆動周波数で前記画像を表示し、前記第２モードでは前記第１駆動周波数より低い第２駆動周波数で前記画像を表示してもよい。
【０００９】
本発明に係る表示システムでは、前記表示装置は、前記映像データを記憶するフレームメモリを含み、前記第２モードにおいて、前記送信装置が前記映像データを送信しない期間では、前記表示装置は、前記フレームメモリに記憶された前記映像データに基づいて前記画像を表示してもよい。
【００１０】
本発明に係る表示システムでは、前記表示装置の温度を測定する温度センサをさらに含み、前記送信装置は、前記表示装置の温度が上昇して閾値を超えた場合に、前記第１フレームレートを前記第２フレームレートに切り替えてもよい。
【００１１】
本発明に係る表示システムでは、前記表示装置は、前記第１モードでは、ゲート線を走査してデータ電圧の書き込み動作を行う駆動期間を繰り返す通常駆動を行い、前記第２モードでは、前記駆動期間と、前記ゲート線を非走査状態にして前記書き込み動作を休止する休止期間とを交互に繰り返す間欠駆動を行ってもよい。
【００１２】
本発明に係る表示システムでは、前記通常駆動における前記駆動期間の共通電圧の電圧値と、前記間欠駆動における前記駆動期間の共通電圧の電圧値とは、互いに等しくてもよい。
【００１３】
本発明に係る表示システムでは、前記間欠駆動における前記休止期間の共通電圧の電圧値を、画素に保持される電荷量の変化に伴って降下させてもよい。
【００１４】
本発明に係る表示システムでは、前記休止期間に降下させた共通電圧の電圧値を、前記休止期間の後に続く前記駆動期間の開始前に、前記休止期間より前の前記駆動期間における共通電圧の電圧値に上昇させてもよい。
【発明の効果】
【００１５】
本発明によれば、送信装置及び表示装置を含む表示システムの低消費電力化を図ることができる。
【図面の簡単な説明】
【００１６】
【図１】実施形態１に係る表示システムの機能的構成を示すブロック図である。
【図２】実施形態１に係る表示システムの表示動作の一例を示すタイミングチャートである。
【図３】従来の間欠駆動方式の液晶表示装置におけるタイミングチャートである。
【図４】画素電圧及びＶｃｏｍ電圧の変化を示す図である。
【図５】実施形態２に係る間欠駆動方式の液晶表示装置におけるタイミングチャートである。
【図６】実施形態２に係る間欠駆動方式の液晶表示装置におけるタイミングチャートである。
【図７】Ｖｃｏｍ電圧を設定するための回路構成を示す図である。
【図８】実施形態１及び２に係る液晶表示装置の概略構成を示す平面図である。
【発明を実施するための形態】
【００１７】
［実施形態１］
本発明に係る表示システムの実施形態について、図面を用いて以下に説明する。図１は、実施形態１に係る表示システム１００の機能的構成を示すブロック図である。表示システム１００は、映像データを送信する送信装置１０（例えば、Source Device）と、映像データを受信して画像を表示する表示装置２０（例えば、Sink Device）とを含んでいる。送信装置１０と表示装置２０とは、ＤＰ規格に準拠した所定のインターフェースを介して互いに接続されている。以下では、上記インターフェースの一例として、ｅＤＰインターフェース（eDP_I/F）を挙げて説明する。尚、本発明に係る表示システムにおいて、送信装置１０と表示装置２０とは、周知のインターフェースを介して接続されてもよい。表示システム１００は、所定の条件に従って、動作モードを、通常モード（第１モード）又は低消費電力モード（第２モード）に切り替える。
【００１８】
送信装置１０は、eDP_I/F１１と、制御部１２と、通信部１３と、メモリ１４と、記憶部１５とを含んでいる。送信装置１０を構成する各ハードウェア要素はバスにより相互にデータの授受が可能に接続されている。eDP_I/F１１は、ＤＰ規格に準拠したコネクタを備えている。通信部１３は、eDP_I/F１１を介して各種データの送受信を行う。例えば、通信部１３は、eDP_I/F１１を介して、映像データを表示装置２０へ送信する。すなわち、通信部１３及びeDP_I/F１１は、映像データを表示装置２０へ送信する送信部としての機能を有する。制御部１２は送信装置１０の各部を制御したり、各種の情報処理を実行したりする。制御部１２は、例えばＣＰＵで構成されてもよい。メモリ１４は、各種のプログラムやデータを保持する。またメモリ１４には、制御部１２の作業領域も確保される。記憶部１５は、映像データを含む各種のデータを記憶する。
【００１９】
制御部１２は、フレームレート設定部１２１と、出力制御部１２２とを含んでいる。フレームレート設定部１２１は、送信装置１０から表示装置２０に伝送する映像データのフレームレートを、表示装置２０の状態に基づいて設定する。具体的には、フレームレート設定部１２１は、表示装置２０の温度状態を示す検出信号ＤＳ（後述）を表示装置２０から取得し、取得した検出信号ＤＳに基づいて、映像データのフレームレートを設定する。例えば、フレームレート設定部１２１は、フレームレートが第１フレームレート（６０Ｈｚ）に設定されていた場合において、その後に表示装置２０の温度が上昇して閾値を超えた場合、フレームレートを第２フレームレート（４８Ｈｚ）に切り替える。また、フレームレート設定部１２１は、フレームレートが第２フレームレート（４８Ｈｚ）に設定されていた場合において、その後に表示装置２０の温度が低下して閾値以下になった場合、フレームレートを第１フレームレート（６０Ｈｚ）に切り替える。第１フレームレートは、通常モードにおけるフレームレートに対応し、第２フレームレートは、低消費電力モードにおけるフレームレートに対応する。
【００２０】
また出力制御部１２２は、上記検出信号ＤＳを表示装置２０から取得し、取得した検出信号ＤＳに基づいて、制御信号ＣＳを上記映像データに付与する（埋め込む）。制御信号ＣＳは、動作モード（通常モード又は低消費電力モード）を示す情報（動作モード情報ＯＭＩ）と、フレームレート設定部１２１により設定されたフレームレートの情報（フレームレート情報ＦＲＩ）と、を含む。例えば、表示装置２０の温度が閾値以下である場合、出力制御部１２２は、上記映像データに、通常モードを示す第１動作モード情報ＯＭＩと、第１フレームレート（６０Ｈｚ）を示す第１フレームレート情報ＦＲＩとを付与する。また、表示装置２０の温度が上昇して閾値を超えた場合、出力制御部１２２は、上記映像データに、低消費電力モードを示す第２動作モード情報ＯＭＩと、第２フレームレート（４８Ｈｚ）を示す第２フレームレート情報ＦＲＩとを付与する。
【００２１】
また出力制御部１２２は、表示装置２０に伝送する映像データを、ｅＤＰ規格に準拠したデータ形式の映像データに変換する。出力制御部１２２は、上記映像データを通信部１３に出力する。出力制御部１２２は、例えば表示装置２０の温度が閾値以下である場合（通常モード）、１フレームごとに、第１動作モード情報ＯＭＩと第１フレームレート情報ＦＲＩとを付与した映像データを通信部１３に出力する。また出力制御部１２２は、表示装置２０の温度が上昇して閾値を超えた場合（低消費電力モード）、複数フレームに１回（例えば３フレームに１回）の割合で、第２動作モード情報ＯＭＩと第２フレームレート情報ＦＲＩとを付与した映像データを通信部１３に出力する。通信部１３は、出力制御部１２２から取得した映像データを、フレームレート設定部１２１により設定されたフレームレートで、ｅＤＰプロトコルに従って、eDP_I/F１１から伝送線３０を介して表示装置２０に伝送する。
【００２２】
なお、制御部１２は、シリアルデータ及びパラレルデータを相互に変換するデータ変換部や、８ビットのデータを１０ビットのデータに変換する８ｂ／１０ｂエンコーダ等を含んでもよい。
【００２３】
表示装置２０は、eDP_I/F２１と、制御部２２と、通信部２３と、メモリ２４と、記憶部２５と、画像処理部２６と、表示パネル２７と、温度センサ２８と、フレームメモリ２９とを含んでいる。
【００２４】
eDP_I/F２１は、eDP_I/F１１と同様、ＤＰ規格に準拠したコネクタを備えている。通信部２３は、eDP_I/F２１を介して各種データの送受信を行う。例えば、通信部２３は、eDP_I/F２１を介して、送信装置１０から映像データを受信する。すなわち、通信部２３及びeDP_I/F２１は、映像データを受信する受信部としての機能を有する。制御部２２は表示装置２０の各部を制御したり、各種の情報処理を実行したりする。制御部２２は、例えばＣＰＵで構成されてもよい。メモリ２４は、各種のプログラムやデータを保持する。またメモリ２４には、制御部２２の作業領域も確保される。記憶部２５は、映像データを含む各種のデータを記憶する。表示パネル２７は、液晶パネルや有機ＥＬパネル等、各種の表示パネルを適用することができる。
【００２５】
制御部２２は、状態検出部２２１と、転送制御部２２２とを含んでいる。状態検出部２２１は、表示装置２０を構成する各部の状態を検出し、検出結果を示す検出信号ＤＳを送信装置１０に出力する。例えば、状態検出部２２１は、表示装置２０が高温状態であるか、又は、低温状態であるかを検出する。具体的には例えば、表示装置２０に設けられた温度センサ２８が、表示パネル２７、各種ドライバ（ソースドライバ、ゲートドライバ等）、各種電子部品、電源（図示せず）等の温度を測定し、状態検出部２２１が温度センサ２８から測定データを受信する。そして、表示装置２０が高温状態にあり、表示装置２０の温度が閾値を超えた場合、状態検出部２２１は、ハイレベルの検出信号ＤＳ（Ｈ）を送信装置１０に出力する。また表示装置２０の温度が閾値以下の場合、状態検出部２２１は、ローレベルの検出信号ＤＳ（Ｌ）を送信装置１０に出力する。
【００２６】
転送制御部２２２は、送信装置１０から受信した映像データに付与された制御信号ＣＳに基づいて、該映像データに対する処理を実行する。例えば、送信装置１０から受信した映像データに、第１動作モード情報ＯＭＩ（ここでは通常モード）及び第１フレームレート情報ＦＲＩ（ここでは第１フレームレート（６０Ｈｚ））を含む制御信号ＣＳが付与されている場合、転送制御部２２２は、該映像データを、画像処理部２６に転送する。また転送制御部２２２は、表示装置２０の駆動周波数を第１フレームレート（６０Ｈｚ）に対応する第１駆動周波数（ここでは６０Ｈｚ）に設定する。画像処理部２６は、転送制御部２２２から転送された映像データに対して、各種の画像処理を実行して表示パネル２７に出力する。上記画像処理は、例えば階調補正等、周知の処理を含んでいる。これにより、通常モードでは、送信装置１０から受信した映像データに基づいて、６０Ｈｚの駆動周波数で画像表示が行われる。
【００２７】
また例えば、送信装置１０から受信した映像データに、第２動作モード情報ＯＭＩ（ここでは低消費電力モード）及び第２フレームレート情報ＦＲＩ（ここでは第２フレームレート（４８Ｈｚ））を含む制御信号ＣＳが付与されている場合、転送制御部２２２は、該映像データを、フレームメモリ２９に転送する。フレームメモリ２９は、送信装置１０から受信した映像データを１フレーム単位で記憶する。尚、フレームメモリ２９は、予め定められた所定の画像に対応する映像データを記憶してもよい。また転送制御部２２２は、上記制御信号ＣＳを取得すると、フレームメモリ２９に記憶されている映像データを取得して画像処理部２６に転送する。また転送制御部２２２は、表示装置２０の駆動周波数を第２フレームレート（４８Ｈｚ）に対応する第２駆動周波数（ここでは４８Ｈｚ）に設定する。画像処理部２６は、転送制御部２２２から転送された映像データに対して、各種の画像処理を実行して表示パネル２７に出力する。これにより、低消費電力モードでは、フレームメモリ２９に記憶されている映像データに基づいて、４８Ｈｚの駆動周波数で画像表示が行われる。
【００２８】
ここで、低消費電力モードでは、送信装置１０は複数フレーム（例えば３フレーム）に１回の割合で、映像データを送信する。表示装置２０は送信装置１０から映像データを受信すると、転送制御部２２２が、フレームメモリ２９に既に記憶されている映像データを、受信した映像データに更新する。これにより、低消費電力モードでは、複数フレーム（例えば３フレーム）に１回の割合で、フレームメモリ２９の記憶データが更新されるとともに、表示画像が更新される。
【００２９】
なお制御部２２は、シリアルデータ及びパラレルデータを相互に変換するデータ変換部と、１０ビットのデータを８ビットのデータに変換する８ｂ／１０ｂデコーダとを含んでもよい。また制御部２２は、一般的なタイミングコントローラとしての機能も有する。
【００３０】
以上のように構成される表示システム１００において、制御部１２，２２に含まれる各要素はメモリ１４，２４に格納されたプログラムをＣＰＵが実行することにより実現される。このプログラムは、ＣＤ−ＲＯＭ、ＤＶＤ−ＲＯＭ、メモリカードなどのコンピュータが読み取り可能な情報記憶媒体から送信装置１０及び表示装置２０にインストールされてもよいし、インターネット等の通信ネットワークから送信装置１０及び表示装置２０にダウンロードされてもよい。
【００３１】
eDP_I/F１１，２１は、相手機器との接続を検出するHot Plug Detect（ＨＰＤ）チャネルと、各種制御データ（コマンド）等を伝送する補助（ＡＵＸ）チャネルと、映像データ等のデータを伝送するメインリンクとを含んでいる。メインリンクは、例えば４レーンに設定される。伝送線３０は、ＨＰＤ信号を伝送するＨＰＤラインと、ＡＵＸラインと、メインリンクラインとを含んでいる。ＨＰＤ信号は、表示装置２０のデバイス情報を送信装置１０が取得することを表示装置２０が読み取り要求することを示す信号である。
【００３２】
次に、表示システム１００の表示動作の一例を、図２のタイミングチャートを用いて説明する。図２では、連続するフレームＦ１〜Ｆ７の動作を示している。
【００３３】
初めに、フレームＦ１において、送信装置１０が、通常モードを示す第１動作モード情報ＯＭＩと、第１フレームレート（６０Ｈｚ）を示す第１フレームレート情報ＦＲＩとを付与した映像データ（フレームデータＦＤ１）を、第１フレームレート（６０Ｈｚ）で表示装置２０に送信する。表示装置２０がフレームデータＦＤ１を受信すると、転送制御部２２２が、駆動周波数を第１フレームレートに対応する第１駆動周波数（６０Ｈｚ）に設定して、フレームデータＦＤ１を画像処理部２６に転送する。画像処理部２６は、転送制御部２２２からフレームデータＦＤ１を取得すると、周知の画像処理を実行し、表示パネル２７に出力する。表示パネル２７は、画像処理部２６からフレームデータＦＤ１を取得すると、第１駆動周波数（６０Ｈｚ）で、ソースドライバ及びゲートドライバ（図８参照）の動作によって、フレームデータＦＤ１に対応する第１画像を表示画面に表示する。
【００３４】
次に、送信装置１０から第１フレームレートで伝送されたフレームデータＦＤ１に基づいて表示装置２０が第１画像を表示中に、表示装置２０の温度（例えば、ソースドライバＩＣの温度）が上昇して、温度センサ２８による測定温度が閾値を超えた場合、表示システム１００は以下の処理を実行する。
【００３５】
状態検出部２２１は、温度センサ２８から取得した測定温度が閾値を超えた場合、ハイレベル（Ｈ）の検出信号ＤＳ（Ｈ）を送信装置１０に出力する。尚、送信装置１０が、補助（ＡＵＸ）チャネルにおける通信を利用して上記検出結果（検出信号ＤＳ（Ｈ））を取得してもよい。
【００３６】
送信装置１０は、検出信号ＤＳ（Ｈ）を取得すると、第１フレームレート（６０Ｈｚ）を第２フレームレート（４８Ｈｚ）に切り替える処理を実行する。具体的には、先ず、送信装置１０が、フレームＦ２の開始タイミングに合わせて、低消費電力モードを示す第２動作モード情報ＯＭＩと、第２フレームレート（４８Ｈｚ）を示す第２フレームレート情報ＦＲＩとを付与したフレームデータＦＤ２を、第２フレームレート（４８Ｈｚ）で表示装置２０に送信する。これにより、フレームＦ２の映像データ（フレームデータＦＤ２）が表示装置２０に伝送される。送信装置１０は、フレームデータＦＤ２を出力すると、フレームＦ３、Ｆ４の映像データの出力動作を停止する。その後、送信装置１０は、フレームＦ５の映像データ（フレームデータＦＤ５）を出力すると、フレームＦ６、Ｆ７の映像データの出力動作を停止する。このように、送信装置１０は、第２フレームレート（４８Ｈｚ）で、３フレームに１回の割合で映像データを出力する。
【００３７】
フレームＦ２において、表示装置２０が、低消費電力モードを示す第２動作モード情報ＯＭＩと、第２フレームレート（４８Ｈｚ）を示す第２フレームレート情報ＦＲＩとを付与されたフレームデータＦＤ２を受信すると、転送制御部２２２が、フレームデータＦＤ２をフレームメモリ２９に転送する。また転送制御部２２２は、表示装置２０の駆動周波数を第２フレームレートに対応する第２駆動周波数（４８Ｈｚ）に設定して、フレームメモリ２９に記憶されているフレームデータＦＤ２を取得して画像処理部２６に転送する。
【００３８】
画像処理部２６は、転送制御部２２２からフレームデータＦＤ２を取得すると、周知の画像処理を実行し、表示パネル２７に出力する。表示パネル２７は、画像処理部２６からフレームデータＦＤ２を取得すると、第２駆動周波数（４８Ｈｚ）で、ソースドライバ及びゲートドライバ（図８参照）の動作によって、フレームデータＦＤ２に対応する第２画像を表示画面に表示する。
【００３９】
フレームＦ３、Ｆ４では、転送制御部２２２が、フレームメモリ２９に記憶されているフレームデータＦＤ２を取得して画像処理部２６に転送する。画像処理部２６は、転送制御部２２２からフレームデータＦＤ２を取得すると、周知の画像処理を実行し、表示パネル２７に出力する。これにより、フレームＦ３、Ｆ４では、フレームＦ２と同一画像（第２画像）を表示画面に表示する。
【００４０】
第５フレームでは、送信装置１０が、低消費電力モードを示す第２動作モード情報ＯＭＩと、第２フレームレート（４８Ｈｚ）を示す第２フレームレート情報ＦＲＩとを付与したフレームデータＦＤ５を、第２フレームレート（４８Ｈｚ）で表示装置２０に送信する。表示装置２０が上記フレームデータＦＤ５を受信すると、転送制御部２２２は、フレームデータＦＤ５をフレームメモリ２９に転送して、フレームメモリ２９に記憶されているフレームデータＦＤ２をフレームデータＦＤ５に更新する。また転送制御部２２２は、フレームメモリ２９に記憶されているフレームデータＦＤ５を取得して画像処理部２６に転送する。
【００４１】
画像処理部２６は、転送制御部２２２からフレームデータＦＤ５を取得すると、周知の画像処理を実行し、表示パネル２７に出力する。表示パネル２７は、画像処理部２６からフレームデータＦＤ５を取得すると、第２駆動周波数（４８Ｈｚ）で、ソースドライバ及びゲートドライバ（図８参照）の動作によって、フレームデータＦＤ５に対応する第５画像を表示画面に表示する。
【００４２】
フレームＦ６、Ｆ７では、転送制御部２２２が、フレームメモリ２９に記憶されているフレームデータＦＤ５を取得して画像処理部２６に転送する。画像処理部２６は、転送制御部２２２からフレームデータＦＤ５を取得すると、周知の画像処理を実行し、表示パネル２７に出力する。これにより、フレームＦ６、Ｆ７では、フレームＦ５と同一画像（第５画像）を表示画面に表示する。
【００４３】
その後、図示はしないが、表示装置２０の温度が閾値以下になった場合は、状態検出部２２１は、ローレベル（Ｌ）の検出信号ＤＳ（Ｌ）を送信装置１０に出力する。
【００４４】
送信装置１０は、検出信号ＤＳ（Ｌ）を取得すると、第２フレームレート（４８Ｈｚ）を第１フレームレート（６０Ｈｚ）に切り替える処理を実行する。具体的には、先ず、送信装置１０が、次フレームの開始タイミングに合わせて、通常モードを示す第１動作モード情報ＯＭＩと、第１フレームレート（６０Ｈｚ）を示す第１フレームレート情報ＦＲＩとを付与したフレームデータＦＤを、第１フレームレート（６０Ｈｚ）で表示装置２０に送信する。表示装置２０は、上記フレームデータＦＤを受信すると、上述の動作に基づき、第１駆動周波数（６０Ｈｚ）で画像を表示する。
【００４５】
上記の構成によれば、表示装置２０の温度が上昇して閾値を超えた場合、送信装置１０が、送信する映像データのフレームレートを低くし、かつ、所定期間だけ映像データの送信動作を停止するため、表示システム１００の消費電力を低減することができる。
【００４６】
実施形態１に係る表示システム１００は上記構成に限定されない。例えば、表示システム１００がＰＳＲ（Panel Self Refresh）機能を有する場合は、制御信号ＣＳに含まれる動作モード情報ＯＭＩとして、ＰＳＲモードをＯＮ（entry）状態にするための制御信号、すなわち、映像データの出力停止命令を示す第１制御信号ＰＳＲ＿ＯＮ（PSR_entry）を用いてもよい。尚、ＰＳＲ機能は、例えば、ホストから出力された映像信号が静止画像である場合に、表示モードを通常モードから静止画モード（ＰＳＲモードともいう。）に切り替えて、送信装置１０における映像データの出力動作を停止し、表示装置２０の記憶部に記憶された映像データを用いて表示を行う機能をいう。
【００４７】
また、実施形態１に係る表示システム１００では、送信装置１０における映像データのフレームレートと、表示装置２０における駆動周波数とを切り替えず、例えば６０Ｈｚに固定してもよい。この構成であっても、送信装置１０が映像データの出力動作を停止することによる消費電力の低減効果を得ることができる。
【００４８】
また、実施形態１に係る表示システム１００において、送信装置１０が、表示装置２０に搭載されたバッテリの残量に応じて映像データのフレームレートを切り替えてもよい。具体的には例えば、表示装置２０（例えばバッテリ駆動式ノートパソコン）の状態検出部２２１が、表示装置２０のバッテリ残量を取得し、バッテリ残量が閾値以下になると、ハイレベル（Ｈ）の検出信号ＤＳ（Ｈ）を送信装置１０に出力し、バッテリ残量が閾値を超えると、ローレベル（Ｌ）の検出信号ＤＳ（Ｌ）を送信装置１０に出力する。送信装置１０のフレームレート設定部１２１は、検出信号ＤＳ（Ｈ）を取得すると、第１フレームレート（例えば６０Ｈｚ）を第２フレームレート（例えば４８Ｈｚ）に切り替える。この構成によれば、例えば表示装置２０のバッテリ残量が減少した場合に、表示装置２０の消費電力を低減することができる。また、表示システム１００のユーザが、フレームレートの切り替え操作を行う構成であってもよい。
【００４９】
［実施形態２］
本発明の実施形態２について、図面を用いて以下に説明する。なお、説明の便宜上、実施形態１において示した構成要素と構成要素には同一の符号を付し、その説明を省略する。また、実施形態１において定義した用語については特に断らない限り本実施形態においてもその定義に則って用いるものとする。なお、後述の各実施形態についても同様である。
【００５０】
実施形態１に係る表示システム１００では、低消費電力モードの駆動周波数を、通常モードの駆動周波数より低く設定している。ここで、駆動周波数を低くする方法として、例えば間欠駆動方式が挙げられる。間欠駆動方式とは、ゲート線を走査してデータ電圧の書き込み動作を行う駆動期間と、全てのゲート線を非走査状態にして書き込み動作を休止する休止期間とを設ける駆動方式である。休止期間では、ゲートドライバ及びソースドライバに制御信号等を与えないようにして、ゲートドライバ及びソースドライバの動作を休止させることにより、表示装置の低消費電力化を図ることができる。
【００５１】
図３は、従来の間欠駆動方式の液晶表示装置におけるタイミングチャートである。図３では、連続するフレームＦ１〜Ｆ８を示している。フレームＦ１〜Ｆ３、Ｆ５、Ｆ７及びＦ８では、駆動周波数６０Ｈｚで駆動（書き込み動作）を行って画像を表示する。フレームＦ４、Ｆ６では、書き込み動作を休止する。ここで、例えばフレームＦ３、Ｆ４は互いに期間（時間的長さ）が同一であるため、フレームＦ３、Ｆ４を合わせた期間では、駆動周波数を３０Ｈｚと見なすことができる。以下、ゲート線を走査してデータ電圧の書き込み動作を行う駆動期間を繰り返す通常駆動を行う駆動モードを通常モードといい、上記駆動期間と、ゲート線を非走査状態にしてデータ電圧の書き込み動作を休止する休止期間とを交互に繰り返す間欠駆動を行う駆動モードを間欠モードという。通常モードでは、駆動周波数がｍ（Ｈｚ）（ここではｍ＝６０Ｈｚ）に設定され、間欠モードでは、駆動周波数がｎ（Ｈｚ）（ｍ＞ｎ；ここではｎ＝３０Ｈｚ）に設定される。
【００５２】
ここで、間欠モードにおいては、休止期間における画素の保持電荷の放電が進み、液晶配向力が保持できず、透過率が低下することにより、表示輝度の低下が発生する。その後、間欠モードから通常モードに切り替わると、画素の保持電荷量が目標レベルになるため、液晶配向力及び透過率が回復し、表示輝度が目標レベルに回復する。この結果、通常モード及び間欠モードでの輝度差（図３のＬ１）が発生するため、間欠モードにおいてフリッカが発生し易くなる。
【００５３】
そこで、従来の液晶表示装置は、上記フリッカを低減するために、駆動モードごとにＶｃｏｍ電圧（共通電極に印加される共通電圧）を設定する構成を備えている。しかし、間欠モードにおいて最適Ｖｃｏｍ電圧を設定した場合、間欠モードに含まれる駆動期間と休止期間とが同一のＶｃｏｍ電圧（Ｖｃｏｍ＿Ｂ）になる。このため、通常モードの駆動期間のＶｃｏｍ電圧（Ｖｃｏｍ＿Ａ）の電圧値と、間欠モードの駆動期間のＶｃｏｍ電圧（Ｖｃｏｍ＿Ｂ）の電圧値とが異なってしまう。また、休止期間では常時、画素の保持電荷が放電するため、図４（ａ）に示すように、画素電荷の放電により画素電圧（高電圧Ｖｐｈ、低電圧Ｖｐｌ）が低下し、正極性側の電界強度と負極性側の電界強度とが異なり焼き付きの発生につながる。以上のように、従来の構成では、間欠モードにおける画素の極性の偏りに起因して焼き付きが発生し、表示品位が低下する問題が生じる。
【００５４】
この点、実施形態２に係る表示システム１００の表示装置２０（液晶表示装置）は、上記画素の極性の偏りを抑え、表示品位の低下を防ぐことができる構成を有している。具体的には、図５に示すように、表示装置２０では、間欠モードの駆動期間のＶｃｏｍ電圧を、通常モードの駆動期間のＶｃｏｍ電圧（Ｖｃｏｍ＿Ａ）と同一の値に設定する。また、表示装置２０では、図６に示すように、間欠モードの休止期間において、画素の保持電荷量の変化に伴ってＶｃｏｍ電圧（Ｖｃｏｍ＿Ｃ）の電圧値を降下させる。
【００５５】
間欠モードにおいて設定されるＶｃｏｍ電圧（Ｖｃｏｍ＿Ｃ）について、図６を用いて詳細に説明する。図６は、図５のフレームＦ３〜Ｆ５の詳細を示している。期間Ｔ１は、間欠モードのうちのフレームＦ３の駆動期間の書き込み期間を示し、期間Ｔ２は、間欠モードのうちのフレームＦ３の駆動期間のブランキング期間と、間欠モードのうちのフレームＦ４の休止期間の一部とを合わせた非書き込み期間を示している。期間Ｔ３は、間欠モードのうちのフレームＦ４の残りの休止期間（非書き込み期間）を示している。期間Ｔ４は、間欠モードのうちのフレームＦ５の駆動期間の書き込み期間を示している。
【００５６】
期間Ｔ１では、Ｖｃｏｍ電圧をＶｃｏｍ＿Ａに設定し、期間Ｔ２では、画素の保持電荷量の変化（低下）に伴ってＡ点からＢ点に向かって電圧が降下するようにＶｃｏｍ電圧を設定する（Ｖｃｏｍ＿Ｃ）。期間Ｔ２の長さ（Ｂ点の位置）は、Ｖｃｏｍ電圧の降下の下限値、及び、Ｃ点の電圧値（Ｖｃｏｍ＿Ａ）に回復させるために必要な時間に設定される。Ｖｃｏｍ＿Ｃは、Ｖｃｏｍ電圧の出力回路の出力電圧の設定を定期的に更新させたり、Ｖｃｏｍ電圧を強制的に放電させることにより設定される。例えば図７に示す回路構成により、Ｖｃｏｍ＿Ｃを設定する。具体的には、Ｖｃｏｍ電圧の出力端子と液晶パネルの入力端子との間のＶｃｏｍ電圧伝送ラインに、抵抗Ｒ及びコンデンサＣから成る放電回路を設け、スイッチＳＷにオン／オフを制御する制御信号を入力することにより、Ｖｃｏｍ電圧の電圧値を変化させる。
【００５７】
期間Ｔ３では、Ｂ点における降下したＶｃｏｍ電圧の電圧値を、書き込み動作に適したＶｃｏｍ電圧（Ｖｃｏｍ＿Ａ）の電圧値に回復させるために、Ｂ点からＣ点に向かってＶｃｏｍ電圧の電圧値が上昇するようにＶｃｏｍ電圧を設定する。期間Ｔ４では、Ｖｃｏｍ電圧をＶｃｏｍ＿Ａに設定する。
【００５８】
上記のように設定したＶｃｏｍ電圧によれば、例えば間欠モードの駆動期間では、Ｖｃｏｍ電圧が、通常モードの駆動期間のＶｃｏｍ電圧と同じ電圧値になる。また例えば間欠モードの休止期間では、Ｖｃｏｍ電圧が、画素の保持電荷量の変化（低下）に追従して変化（降下）する。これにより、図４（ｂ）に示すように、間欠モードにおける画素の極性の偏りを抑えることができるため、焼き付きによる表示品位の低下を抑えることができる。また、休止期間における画素の保持電荷量の放電量が低減され、通常モードの駆動期間との輝度差（図５のＬ２）が小さくなるため、フリッカを抑えることができる。またＢ点からＣ点にＶｃｏｍ電圧を変化（上昇）させることにより、駆動期間の開始直後から、適切なＶｃｏｍ電圧による書き込み動作が可能となるため、フリッカを抑えることができる。尚、Ｂ点からＣ点への電圧変化時間（期間Ｔ３）は、液晶パネルの負荷容量、Ｖｃｏｍ電圧の出力ＩＣの能力等が影響するため、Ｃ点におけるＶｃｏｍ電圧が適切になるように、上記電圧変化時間（期間Ｔ３）を液晶パネルごとに個別に設定することが好ましい。
【００５９】
上述した各実施形態に係る表示装置２０は、液晶表示装置に適用することができる。図８は、液晶表示装置の概略構成を示す平面図である。
【００６０】
液晶表示装置１は、ソースドライバ２と、ゲートドライバ３と、液晶パネル４と、タイミングコントローラ５と、を含んでいる。ソースドライバ２及びゲートドライバ３は、例えば液晶パネル４に搭載されている。
【００６１】
液晶パネル４は、薄膜トランジスタ基板（図示せず）と、カラーフィルタ基板（図示せず）と、両基板間に挟持された液晶層ＬＣとを含んで構成されている。薄膜トランジスタ基板には、ソースドライバ２に接続された複数のソース線ＳＬと、ゲートドライバ３に接続された複数のゲート線ＧＬとが設けられている。ソース線ＳＬとゲート線ＧＬとの各交差部には薄膜トランジスタＴＦＴが設けられている。また、液晶パネル４には、各交差部に対応して、複数の画素がマトリクス状（行方向及び列方向）に配置されている。さらに、液晶パネル４は、各画素に対応して、画素電極ＰＩＴと共通電極ＣＩＴとを含んでいる。液晶パネル４は、ゲート線ＧＬに供給されるゲート信号により薄膜トランジスタＴＦＴをオン状態にして、ソース線ＳＬを介して画素電極ＰＩＴに印加されるデータ電圧（階調電圧）に応じて、表示画面に画像を表示する。なお、ソースドライバ２及びゲートドライバ３は、薄膜トランジスタ基板上に形成されていてもよい。液晶パネル４は、上記構成に限定されず、周知の構成を適用することができる。図１に示すeDP_I/F２１と、制御部２２と、通信部２３と、メモリ２４と、記憶部２５と、画像処理部２６と、フレームメモリ２９とは、タイミングコントローラ５に含まれてもよい。
【００６２】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００６３】
１００  表示システム、１０  送信装置、１１，２１  eDP_I/F、１２，２２  制御部、１３，２３  通信部、１４，２４  メモリ、１５，２５  記憶部、１２１  フレームレート設定部、１２２  出力制御部、２０  表示装置、２６  画像処理部、２７  表示パネル、２８  温度センサ、２９  フレームメモリ、２２１  状態検出部、２２２  転送制御部、１  液晶表示装置、２  ソースドライバ、３  ゲートドライバ、４  液晶パネル、５  タイミングコントローラ。
【図１】
2018169455.tif 000003
【図２】
2018169455.tif 000004
【図３】
2018169455.tif 000005
【図４】
2018169455.tif 000006
【図５】
2018169455.tif 000007
【図６】
2018169455.tif 000008
【図７】
2018169455.tif 000009
【図８】
2018169455.tif 000010